(57)【要約】【課題】閃光装置内蔵式電子カメラでの閃光撮影時にメインコンデンサから生じる振動によって撮像素子が揺れ、画質低下が生じるのを抑制する。【解決手段】電子カメラ１００は閃光装置を備える。電子カメラ１００は、カメラ本体の前面に設けられ、撮影レンズを着脱可能に装着するためのボディマウント１１０と、ボディマウント１１０を保持するマウント保持部２００と、撮像素子２１４と、カメラ本体の少なくとも前面を覆う外装部材１０２と、閃光装置の発光用エネルギを一時的に蓄えるメインコンデンサ１５０とを備える。メインコンデンサ１５０は、横位置で保持された電子カメラ１００を被写体側から見たとき、撮影レンズの光軸よりも右側に位置する反グリップ側において、撮像素子２１４とボディマウント１１０と外装部材１０２とで囲われた空間に配設され、かつマウント保持部２００に固定される。【選択図】図２
2012123136.tif 000002
【特許請求の範囲】
【請求項１】
閃光装置を備える撮影レンズ交換式の電子カメラであって、
カメラ本体の前面に設けられ、リング状の形状を有して撮影レンズを着脱可能に装着するためのボディマウントと、
前記ボディマウントを保持するマウント保持部と、
前記撮影レンズにより形成される被写体像を画像信号に変換する撮像素子と、
前記カメラ本体の少なくとも前面を覆う外装部材と、
前記閃光装置の発光用エネルギを一時的に蓄えるメインコンデンサとを備え、
前記メインコンデンサは、横位置で保持された前記電子カメラを被写体側から見たとき、前記撮影レンズの光軸よりも右側に位置する反グリップ側において、前記撮像素子と前記ボディマウントと前記外装部材とで囲われた空間に配設され、かつ前記マウント保持部に固定される
ことを特徴とする電子カメラ。
【請求項２】
前記撮像素子の後方に配置され、前記撮影レンズの光軸と直交する面に沿って前記撮像素子を移動可能に支持し、検出された手振れに応じて、当該の手振れによって前記撮像素子上で生じる前記被写体像のぶれを減じる方向に前記撮像素子を移動させて前記手振れを補正する手振れ補正部をさらに備え、
前記手振れ補正部は、横位置で保持された前記電子カメラを被写体側から見たとき、前記反グリップ側において前記メインコンデンサの背面を覆う位置まで延出する反グリップ側延出部分を備え、前記撮像素子と前記ボディマウントと前記外装部材とに加えて、前記反グリップ側延出部分によって囲われる空間に前記メインコンデンサが配設され、
前記マウント保持部は、前記ボディマウントを保持する部分から背面側に延出する後方延出部分を備え、
前記手振れ補正部は、前記後方延出部分に固定される
ことを特徴とする請求項１に記載の電子カメラ。
【請求項３】
前記手振れ補正部はさらに、横位置で保持された前記電子カメラを被写体側から見たとき、前記撮像素子の下端よりも下側に延出する下側延出部分をさらに有し、前記手振れ補正部は、前記下側延出部分において前記マウント保持部の前記後方延出部分に固定される
ことを特徴とする請求項２に記載の電子カメラ。
【請求項４】
前記下側延出部分には、前記撮像素子を移動させるための駆動部が配置され、
さらに、横位置で保持された前記電子カメラを被写体側から見たとき、前記手振れ補正部の上側に電子ビューファインダユニットが配設される
ことを特徴とする請求項３に記載の電子カメラ。
【請求項５】
前記メインコンデンサは、円筒形状を有し、横位置で保持された前記電子カメラ内において、当該の円筒形状の軸の延在方向が鉛直方向と略平行となるように配設される
ことを特徴とする請求項１から４のいずれか一つに記載の電子カメラ。
【請求項６】
前記電子カメラが動作するための電力を供給する電池を収容する電池室と、
前記電子カメラの動作を制御するための制御回路が実装された制御基板とをさらに備え、
前記電池室は、横位置で保持された前記電子カメラを被写体側から見たとき、前記撮影レンズの光軸よりも左側に位置するグリップ側に配設され、前記制御基板は、前記電池室の後方に配設される
ことを特徴とする請求項１から４のいずれか一つに記載の電子カメラ。
【請求項７】
閃光を被写体に向けて発する発光部をさらに備え、
前記発光部は、横位置で保持された前記電子カメラ内において、前記メインコンデンサの上側に配設される
ことを特徴とする請求項１から４のいずれか一つに記載の電子カメラ。
【請求項８】
前記撮像素子は、複数の画素において、電荷の蓄積の開始と終了を同時に行うグローバルシャッタ機能を備えるＣＭＯＳ撮像素子である
ことを特徴とする請求項１から４のいずれか一つに記載の電子カメラ。
【請求項９】
閃光装置を備える撮影レンズ交換式の電子カメラであって、
カメラ本体の前面に設けられ、リング状の形状を有して撮影レンズを着脱可能に装着するためのボディマウントと、
前記ボディマウントを保持するマウント保持部と、
前記撮影レンズにより形成される被写体像を画像信号に変換する撮像素子であって、露光動作の開始および終了を電気的に制御可能なスイッチング素子を備える、撮像素子と、
前記ボディマウントの後方かつ前記撮像素子の前方に配設される光学素子と、
前記カメラ本体の少なくとも前面を覆う外装部材と、
前記閃光装置の発光用エネルギを一時的に蓄えるメインコンデンサとを備え、
前記メインコンデンサは、横位置で保持された前記電子カメラを被写体側から見たとき、前記撮影レンズの光軸よりも右側に位置する反グリップ側において、前記撮像素子と前記ボディマウントと前記外装部材とで囲われた空間に配設され、かつ前記マウント保持部の前記ボディマウントが固定される部分の裏面側に固定される
ことを特徴とする電子カメラ。
【請求項１０】
前記撮像素子の後方に配置され、前記撮影レンズの光軸と直交する面に沿って前記撮像素子を移動可能に支持し、検出された手振れに応じて、当該の手振れによって前記撮像素子上で生じる前記被写体像のぶれを減じる方向に前記撮像素子を移動させて前記手振れを補正する手振れ補正部をさらに備え、
前記マウント保持部は、前記ボディマウントを保持する部分から背面側に延出する後方延出部分を備え、
前記手振れ補正部は、前記後方延出部分に固定される
ことを特徴とする請求項９に記載の電子カメラ。
【請求項１１】
前記手振れ補正部はさらに、横位置で保持された前記電子カメラを被写体側から見たとき、前記撮像素子の下端よりも下側に延出する下側延出部分をさらに有し、前記手振れ補正部は、前記下側延出部分において前記マウント保持部の前記後方延出部分に固定される
ことを特徴とする請求項１０に記載の電子カメラ。
【請求項１２】
前記手振れ補正部は、横位置で保持された前記電子カメラを被写体側から見たとき、前記反グリップ側において前記メインコンデンサの背面を覆う位置まで延出する反グリップ側延出部分を備え、前記撮像素子と前記ボディマウントと前記外装部材とに加えて、前記反グリップ側延出部分によって囲われる空間に前記メインコンデンサが配設される
ことを特徴とする請求項９に記載の電子カメラ。
【請求項１３】
閃光装置を備える撮影レンズ交換式の電子カメラであって、
カメラ本体の前面に設けられ、リング状の形状を有して撮影レンズを着脱可能に装着するためのボディマウントと、
前記ボディマウントを保持するマウント保持部であって、前記ボディマウントを保持する部分から背面側に延出する後方延出部分を備える、マウント保持部と、
前記撮影レンズにより形成される被写体像を画像信号に変換する撮像素子であって、露光動作の開始および終了を電気的に制御可能なスイッチング素子を備える、撮像素子と、
前記カメラ本体の少なくとも前面を覆う外装部材と、
前記撮像素子の後方に配置され、前記撮影レンズの光軸と直交する面に沿って前記撮像素子を移動可能に支持し、検出された手振れに応じて、当該の手振れによって前記撮像素子上で生じる前記被写体像のぶれを減じる方向に前記撮像素子を移動させて前記手振れを補正する手振れ補正部と、
前記閃光装置の発光用エネルギを一時的に蓄えるメインコンデンサとを備え、
前記メインコンデンサは、横位置で保持された前記電子カメラを被写体側から見たとき、前記撮影レンズの光軸よりも右側に位置する反グリップ側において、前記撮像素子と前記ボディマウントと前記外装部材とで囲われた空間に配設され、かつ前記マウント保持部における前記ボディマウントが固定される部分の裏面側に固定され、
前記手振れ補正部は、前記後方延出部分に固定される
ことを特徴とする電子カメラ。
【請求項１４】
前記電子カメラが動作するための電力を供給する電池を収容する電池室と、
前記電子カメラの動作を制御するための制御回路が実装された制御基板とをさらに備え、
前記電池室は、横位置で保持された前記電子カメラを被写体側から見たとき、前記撮影レンズの光軸よりも左側に位置するグリップ側に配設され、前記制御基板は、前記電池室の後方に配設される
ことを特徴とする請求項１３に記載の電子カメラ。
【請求項１５】
前記メインコンデンサは、円筒形状を有し、横位置で保持された前記電子カメラ内において、当該の円筒形状の軸の延在方向が鉛直方向と略平行となるように配設される
ことを特徴とする請求項１３に記載の電子カメラ。
【請求項１６】
閃光装置を備える撮影レンズ交換式の電子カメラであって、
カメラ本体の前面に設けられ、リング状の形状を有して撮影レンズを着脱可能に装着するためのボディマウントと、
前記ボディマウントを保持するマウント保持部と、
前記撮影レンズにより形成される被写体像を画像信号に変換する撮像素子と、
前記カメラ本体の少なくとも前面を覆う外装部材と、
前記閃光装置の発光用エネルギを一時的に蓄えるメインコンデンサとを備え、
前記メインコンデンサは、横位置で保持された前記電子カメラを被写体側から見たとき、前記撮影レンズの光軸よりも右側に位置する反グリップ側において、前記撮像素子と前記ボディマウントと前記外装部材とで囲われた空間に配置され、かつ前記外装部材の隅部に固定される
ことを特徴とする電子カメラ。
【発明の詳細な説明】
【技術分野】
【０００１】
本発明は、電子カメラに関し、特に内蔵閃光装置を用いての閃光撮影が可能な電子カメラに関する。
【背景技術】
【０００２】
撮影レンズ交換式の一眼レフレックス電子カメラ（以下では単に一眼レフ電子カメラと称する）では、撮像素子への露光開始および露光終了の動作をメカニカルに制御するためのフォーカルプレンシャッタを備える。一眼レフ電子カメラは、撮影レンズと撮像素子との間にミラーボックスを備える。撮影準備動作時（撮影者がファインダを覗いて構図決定のための動作をしているとき）、ミラーボックス内のレフレックスミラーは、撮影レンズから出射されて撮像素子に向かう被写体光の光路を遮る位置にある。被写体光はレフレックスミラーによって反射され、光学式ビューファインダに導かれる。露光動作時には、このレフレックスミラーは一時的に退避位置に移動されて、被写体光が撮像素子に導かれる。
【０００３】
特許文献１には、閃光装置を内蔵する一眼レフ電子カメラが開示される。レフレックスミラーの駆動や、フォーカルプレンシャッタ内のシャッタ羽根駆動用スプリングをチャージするための駆動源としてのモータが、ミラーボックスの側方に配置される。
【０００４】
また、特許文献１に開示される一眼レフ電子カメラに内蔵される閃光装置は、発光エネルギを一時的に蓄えるメインコンデンサと、メインコンデンサ内に電荷を蓄積する際、電源電圧を高電圧に昇圧する昇圧回路と、閃光装置の発光タイミングおよび発光量を制御する閃光制御回路と、閃光を発するキセノン管およびキセノン管からの光を反射・集光して所望の照射範囲を照射するための光学系を有する発光部とを備える。特許文献１に開示される一眼レフ電子カメラにおいて、メインコンデンサはグリップ部に収納される。
【０００５】
上述した一眼レフ電子カメラとは異なるものとして、撮影レンズを交換可能な機能を備えつつ、カメラ本体のさらなる小型・軽量化を可能とするためにミラーボックス、光学式のファインダを省いたカメラがある。このカメラは、ミラーレス方式カメラなどと称される。ミラーレス方式カメラでは、カメラ本体の大きさを出来る限り小さくすることが一般的に求められる。特許文献２には、閃光装置を内蔵するミラーレス方式カメラが開示されている。このカメラは、撮影レンズを装着可能なボディマウントと、ＣＭＯＳイメージセンサとを備えている。そして、カメラを横撮り姿勢（横位置の姿勢）にした状態において、ＣＭＯＳイメージセンサよりも上側かつボディマウントよりもＣＭＯＳイメージセンサの側にメインコンデンサが配置される。
【０００６】
ところで、コンデンサはその充放電動作に際して振動を発することが知られている。特許文献３には、電子機器の回路ボードに実装された電解コンデンサの充・放電に起因するメカニカルノイズの消去ないし低減を図るため、電解コンデンサを含む電源回路が実装された回路ボードを合成樹脂発泡体層で覆う技術が開示される。
【０００７】
特許文献４には、周期的に充放電されるセラミックコンデンサにおいて、圧電現象によって鳴動が生じるのを抑制するための方法が開示される。特許文献４に開示される技術では、放電期間中にセラミックコンデンサの端子間電圧が所定電圧値ｖ２まで降下した場合、次の充電期間まで所定電圧値を維持するようにセラミックコンデンサを充電する制御が行われる。
【先行技術文献】
【特許文献】
【０００８】
【特許文献１】特開２００９−３３７１８号公報
【特許文献２】特開２０１０−９３７８９号公報
【特許文献３】特開平１１−１０２１９０号公報
【特許文献４】特開２０１０−１３５６２３号公報
【発明の概要】
【発明が解決しようとする課題】
【０００９】
特許文献１に開示されるカメラでは、安定して保持することができるようにグリップ部を設けてあるので、そのグリップ部の内部をメインコンデンサの収納スペースとして利用することが可能である。ところが、ミラーレス方式のカメラでは、カメラ本体を小型化・軽量化することを目的としてグリップ部を小さくしたり、無くしたりすることもある。
【００１０】
そのような場合、メインコンデンサの配置スペースを新たに設ける必要がある。また、カメラの小型化に伴って撮像素子とメインコンデンサとの距離が短くなると、以下に説明する問題点を生じる場合のあることを本発明者らは発見した。それは、閃光撮影時にメインコンデンサが振動することによる像ぶれである。
【００１１】
閃光撮影時、メインコンデンサに蓄積される比較的大容量の電荷が一気に放出されるのに伴い、メインコンデンサ自体が振動する。この振動により、カメラ内部の部材が共振等を起こし、振動の振幅が増幅され、露光動作中の撮像素子に伝わる。すると、撮像素子が揺れて手振れに似た現象を生じ、生成される画像の鮮鋭度が低下する場合がある。
【００１２】
被写界輝度が比較的低く、撮影時に被写体を照明している照明光の成分の大半が閃光光によるものである場合、一般的な閃光装置から発せられる閃光光の発光時間は長くても１ミリ秒程度であるので、メインコンデンサの振動による画像への影響は少ない。しかし、閃光光および定常光によって照明された被写体を撮影する、いわゆるミックス光撮影時には、定常光によって照明された被写体の像はぶれる場合がある。加えて、定常光によって照明された被写体像と、閃光光によって照明された被写体の像との間にずれを生じ、画像が見苦しくなることがある。また、閃光光を主たる照明光源とする撮影であっても、背景に街灯などの点状の光源が写っていると、それらの像がぶれて尾を引いたような像が形成されることがある。
【００１３】
上述した問題は、メインコンデンサをグリップ部に配置できるようなカメラ等、撮像素子とメインコンデンサとの間に十分な距離のあるカメラでは認識されなかった新たな問題である。上述した特許文献１から４の何れにおいても、このような問題を生じることに関して記載されていない。
【００１４】
本発明は上記の課題に鑑みなされたもので、閃光装置内蔵式の電子カメラにおいて、カメラ本体の小型化を可能とし、かつ閃光撮影時にメインコンデンサから生じる振動によって撮像素子が揺れ、画質低下が生じるのを抑制可能な技術を提供することを目的とする。
【課題を解決するための手段】
【００１５】
（１）  本発明の第１の態様は、
閃光装置を備える撮影レンズ交換式の電子カメラであって、
カメラ本体の前面に設けられ、リング状の形状を有して撮影レンズを着脱可能に装着するためのボディマウントと、
前記ボディマウントを保持するマウント保持部と、
前記撮影レンズにより形成される被写体像を画像信号に変換する撮像素子と、
前記カメラ本体の少なくとも前面を覆う外装部材と、
前記閃光装置の発光用エネルギを一時的に蓄えるメインコンデンサとを備え、
前記メインコンデンサは、横位置で保持された前記電子カメラを被写体側から見たとき、前記撮影レンズの光軸よりも右側に位置する反グリップ側において、前記撮像素子と前記ボディマウントと前記外装部材とで囲われた空間に配設され、かつ前記マウント保持部に固定される。
（２）  本発明の第２の態様は、
閃光装置を備える撮影レンズ交換式の電子カメラであって、
カメラ本体の前面に設けられ、リング状の形状を有して撮影レンズを着脱可能に装着するためのボディマウントと、
前記ボディマウントを保持するマウント保持部と、
前記撮影レンズにより形成される被写体像を画像信号に変換する撮像素子であって、露光動作の開始および終了を電気的に制御可能なスイッチング素子を備える、撮像素子と、
前記ボディマウントの後方かつ前記撮像素子の前方に配設される光学素子と、
前記カメラ本体の少なくとも前面を覆う外装部材と、
前記閃光装置の発光用エネルギを一時的に蓄えるメインコンデンサとを備え、
前記メインコンデンサは、横位置で保持された前記電子カメラを被写体側から見たとき、前記撮影レンズの光軸よりも右側に位置する反グリップ側において、前記撮像素子と前記ボディマウントと前記外装部材とで囲われた空間に配設され、かつ前記マウント保持部の前記ボディマウントが固定される部分の裏面側に固定される。
（３）  本発明の第３の態様は、
閃光装置を備える撮影レンズ交換式の電子カメラであって、
カメラ本体の前面に設けられ、リング状の形状を有して撮影レンズを着脱可能に装着するためのボディマウントと、
前記ボディマウントを保持するマウント保持部であって、前記ボディマウントを保持する部分から背面側に延出する後方延出部分を備える、マウント保持部と、
前記撮影レンズにより形成される被写体像を画像信号に変換する撮像素子であって、露光動作の開始および終了を電気的に制御可能なスイッチング素子を備える、撮像素子と、
前記カメラ本体の少なくとも前面を覆う外装部材と、
前記撮像素子の後方に配置され、前記撮影レンズの光軸と直交する面に沿って前記撮像素子を移動可能に支持し、検出された手振れに応じて、当該の手振れによって前記撮像素子上で生じる前記被写体像のぶれを減じる方向に前記撮像素子を移動させて前記手振れを補正する手振れ補正部と、
前記閃光装置の発光用エネルギを一時的に蓄えるメインコンデンサとを備え、
前記メインコンデンサは、横位置で保持された前記電子カメラを被写体側から見たとき、前記撮影レンズの光軸よりも右側に位置する反グリップ側において、前記撮像素子と前記ボディマウントと前記外装部材とで囲われた空間に配設され、かつ前記マウント保持部における前記ボディマウントが固定される部分の裏面側に固定され、
前記手振れ補正部は、前記後方延出部分に固定される。
【発明の効果】
【００１６】
本発明によれば、閃光装置内蔵式の電子カメラにおいて、カメラ本体の小型化を可能とし、かつ閃光撮影時にメインコンデンサから生じる振動によって撮像素子が揺れて画質低下が生じることを抑制可能となる。
【図面の簡単な説明】
【００１７】
【図１Ａ】電子カメラの前面、上面、左側面、右側面および下面を示す五面図である。
【図１Ｂ】電子カメラの背面を示す図である。
【図２】電子カメラの、図１中に示される正面図のＩＩ−ＩＩ断面を示す横断面図である。
【図３】電子カメラの、図１中に示される正面図のＩＩＩ−ＩＩＩ断面を示す縦断面図である。
【図４】電子カメラの、図１中に示される正面図のＩＶ−ＩＶ断面を示す横断面図である。
【図５】電子カメラの、図１中に示される正面図のＶ−Ｖ断面を示す縦断面図である。
【図６】前カバーをその背面側から見た様子を示す図である。
【図７】電子カメラの主要部の構成を示す分解斜視図である。
【図８】電子カメラの主な構成要素間の機械的な接続関係を説明する系統図である。
【図９】メインコンデンサをマウント保持部に固定する際の別の例を説明する図であり、図１中に示される正面図のＩＶ−ＩＶ断面に相当する横断面を示す図である。
【図１０】図９に示されるメインコンデンサの固定構造を分解斜視図によって示す図である。
【図１１】メインコンデンサを前カバーの反グリップ側における内側隅部に固定する例を説明する図であり、図１中に示される正面図のＩＶ−ＩＶ断面に相当する横断面図を示す図である。
【発明を実施するための形態】
【００１８】
図１Ａ、図１Ｂは、本発明の実施の形態に係る電子カメラ１００の外観を概略的に説明する図であり、図１Ａは、正面、上面、下面、右側面、左側面の各図からなる五面図を示している。図１Ｂは、背面図を示している。つまり、図１Ａ、図１Ｂによって六面図が形成されている。
【００１９】
以下では、電子カメラ１００の構成要素の配置等を説明する際に理解を容易にすることを目的として、電子カメラ１００で生成される画像は横長のアスペクト比を有するものとして説明する。そして、横長の画像が得られる電子カメラ１００の撮影姿勢を横位置と称し、縦長の画像が得られる撮影姿勢を縦位置と称する。
【００２０】
図１Ａでは、横位置の姿勢にある電子カメラ１００の正面図が五面図中の中央に示され、その正面図の上下左右の位置に対応して、上面図、下面図、左側面図、右側面図が描かれる。正面図には、図１Ａの紙面に沿う横方向にＸ軸が、縦方向にＹ軸が描かれている。図１Ａ中の正面図において、これらのＸ軸、Ｙ軸は、電子カメラ１００に装着される撮影レンズの光軸（以下では撮影レンズの光軸を単に光軸と称する）の通る位置を原点として互いに直交する座標系をなすものとする。つまり、（Ｘ，Ｙ）＝（０，０）の位置が光軸の通る位置となる。なお、図１Ａにおいて同じ種類の構成要素が図示されている場合、図を見やすくすることを目的として、それら同じ種類の構成要素のうち、いずれか一つに引き出し線および符号を付す。
【００２１】
本明細書では、横位置の姿勢にある電子カメラ１００を被写体側から見たときに、Ｙ軸よりも左に向かう側をグリップ側、右に向かう側を反グリップ側と称する。また、右側面図に示されるように、Ｘ軸を基準として、上に向かう側を上側、下に向かう側を下側と称する。さらに、上面図に示されるように、被写体に近づく方向を前方、遠ざかる方向を後方と称する。また、Ｘ軸と平行な方向をＸ軸方向、Ｙ軸に平行な方向をＹ軸方向と称する。加えて、電子カメラ１００およびその構成要素が有する面の向きを説明する際に、電子カメラ１００が横位置の姿勢で被写体に向けられている状態で、被写体側に向く面を前面、その反対向きの面を背面、上を向く面を上面、下を向く面を下面、左を向く面を左側面、右を向く面を右側面と、それぞれ称する。
【００２２】
本実施の形態において、電子カメラ１００は撮影レンズ交換式のミラーレス方式カメラであるものとする。電子カメラ１００の本体部は前カバー１０２と後カバー１０４とによって覆われる。電子カメラ１００のグリップ側における上面にはレリーズ釦１０６が備えられる。また、反グリップ側における前面上側には閃光発光部１５２が、グリップ側における前面上側にはＡＦ補助光源１０８が備えられる。閃光発光部１５２は、静止画撮影時、必要に応じて閃光を発し、被写体を照明する。ＡＦ補助光源１０８は、被写体輝度が低くて十分な焦点調節精度を得にくい状況のときに、被写体に向けて補助光を照射可能に構成される。
【００２３】
電子カメラ１００は、撮影レンズを着脱可能に装着するためのマウント１１０を備える。以下では、撮影レンズ側のマウントと区別するため、マウント１１０をボディマウントと称する。ボディマウント１１０は、光軸の通る位置を中心とする円環状の形状を有し、複数のねじ１１２によってマウント保持部２００に固定される。ボディマウント１１０は、ステンレスや真鍮等の金属、あるいはガラス繊維やカーボン繊維で強化した熱可塑性の樹脂等、比較的高い強度と剛性を有する材料で形成されていることが望ましい。ボディマウント１１０が比較的高剛性の材料で形成されることにより、ボディマウント１１０とねじ１１２で締結されたマウント保持部２００自体の剛性を増すことが可能となる。
【００２４】
マウント保持部２００の、ボディマウント１１０が取り付けられる面の裏側（背面側）には、後方に向かって延出する後方延出部２００ａが設けられる。図１Ａにおいて後方延出部２００ａは破線で示されていて、矩形の断面を有するものとして描かれている。つまり、後方延出部２００ａは四角柱状の形状を有する複数の突起により構成されるものとして描かれている。しかし、後方延出部２００ａの形状は必要に応じて円柱状としてもよいし、異なる形状を有する突起の組み合わせであってもよい。あるいは、後方延出部２００ａは、複数の柱状のものが立設されるのに代えて、板状あるいは箱状の構造をなすものであってもよい。マウント保持部２００は、ボディマウント１１０と、後述する光学素子や撮像素子との位置関係、寸法関係を高い精度で維持するフレームとして機能する。マウント保持部２００は、ガラス繊維やカーボン繊維等で強化した熱可塑性樹脂を用いて射出成形により形成することが可能である。あるいは、アルミニウム合金、マグネシウム合金、亜鉛合金等を用いて鋳造により形成することも可能である。
【００２５】
反グリップ側において、前カバー１０２とマウント保持部２００とは、二本のねじ１１６により固定される。前カバー１０２を、例えばステンレス板やアルミ合金の板をプレス成形して、あるいはアルミ合金やマグネシウム合金等を用いて鋳造によって形成されたものとすると、前カバー１０２およびマウント保持部２００は、ねじ１１６によって締結されるので、マウント保持部２００の剛性を高めることが可能となる。
【００２６】
なお、前カバー１０２およびマウント保持部２００が共に熱可塑性樹脂による射出成形、あるいは鋳造用合金を用いてダイカストあるいはチクソモールディング等により形成される場合、これらの前カバー１０２およびマウント保持部２００が一体成形されていてもよい。その場合には、ねじ１１６は不要となる。
【００２７】
マウント保持部２００の下側において、ボディマウント１１０の開口部の内側部分には複数の信号接点１１８が配列される。撮影レンズと電子カメラ１００とは、信号接点１１８を介して電気的に接続される。撮影レンズ内に備えられる制御部、絞りアクチュエータ、焦点調節アクチュエータには、電子カメラ１００から信号接点１１８を介して電力が供給される。そして、電子カメラ１００と撮影レンズとの間で通信が行われ、双方の間での情報の授受と、電子カメラ１００から撮影レンズに対する絞り制御信号およびフォーカス制御信号の出力が行われる。撮影レンズは、電子カメラ１００から受信した絞り制御信号に基づいて絞りの開度を調節し、同じく、電子カメラ１００から受信したフォーカス制御信号に基づいて焦点調節用レンズの駆動を行う。
【００２８】
電子カメラ１００の反グリップ側におけるボディマウント１１０の後方（背面側）の位置には、閃光発光部１５２から閃光を発する際に用いられるエネルギを一時的に蓄えるメインコンデンサ１５０が配設される。メインコンデンサ１５０は、円筒状の形状を有し、その円筒軸が上下方向（Ｙ軸に平行な方向）に延在するようにして閃光発光部１５２の下部に配置される。
【００２９】
電子カメラ１００のグリップ側における上面にはレリーズ釦１０６が設けられる。本発明の実施の形態において、電子カメラ１００にはレリーズ釦１０６が一つ設けられるものとして説明するが、複数のレリーズ釦が設けられていてもよい。その場合、静止画撮影開始用、動画撮影開始用、などのように、撮影機能に応じたレリーズ釦が設けられていてもよいし、横位置、縦位置の撮影姿勢に応じて操作しやすいそれぞれの位置にレリーズ釦が設けられていてもよい。
【００３０】
電子カメラ１００のグリップ側、さらに詳しくはマウント保持部２００よりもグリップ側の位置には電池室１２２が設けられる。電池室１２２には、乾電池、あるいは充電式の電池が装着される。電子カメラ１００の底部には、ユーザによって開閉自在に構成される蓋１３２が設けられ、この蓋１３２を開いて電池を装填することができる。また、電子カメラ１００で撮影して生成された画像データを記録するためのメモリカードも、蓋１３２を開いて挿抜可能に構成される。
【００３１】
電子カメラ１００のグリップ側における電池室１２２の後方には、左側面図に示されるように外部コネクタ１２６と制御プリント板１２４とが配設される。外部コネクタ１２６は、ＵＳＢやＨＤＭＩ（登録商標）等の規格に準拠したもので、外部機器との間で画像データや音声データを授受する際にケーブルが接続される。制御プリント板１２４には、撮像素子から出力された画像信号をもとに画像データを生成し、表示、記録するための処理を行う画像処理部や、電子カメラ１００の動作を全体的に制御するコントローラが実装される。
【００３２】
電子カメラ１００の底部には、三脚取付部１３０が設けられる。三脚取付部１３０には、三脚ねじをねじ込むためのねじ穴が形成される。本実施の形態に係る電子カメラ１００において、このねじ穴の中心は、光軸の通る位置の近傍に設けられている。
【００３３】
図１Ｂを参照して、電子カメラ１００の背面に備えられる構成要素について説明する。電子カメラ１００の背面におけるグリップ側には操作部材１２８が設けられる。操作部材１２８は、押し釦スイッチの形式以外に、ダイヤル、シーソースイッチ、スライドスイッチ等、様々な方式のものとすることが可能である。
【００３４】
電子カメラ１００の背面には表示装置３００が設けられる。この表示装置３００は、ＴＦＴカラー液晶表示パネルとバックライト装置とを備え、動画像、静止画像、文字情報、アイコン等を表示可能に構成される。あるいは、カラー有機ＥＬ表示素子等の、自発光式の表示パネルを備えるものであってもよい。また、表示装置３００の表面にタッチパネルが設けられていて、このタッチパネルと、表示装置３００に表示されるＧＵＩ（グラフィカル・ユーザ・インターフェース）とによって操作部材１２８が構成されていてもよい。
【００３５】
表示装置３００の上方には、電子ビューファインダ３０２が設けられる。この電子ビューファインダ３０２を構成する観察光学系の光軸は、撮影レンズの光軸と略一致するように電子ビューファインダ３０２が設けられることが望ましい。
【００３６】
図２は、図１ＡのＩＩ−ＩＩ断面、すなわち光軸を含む水平面に沿う断面を示す横断面図である。ボディマウント１１０およびこのボディマウントを保持するマウント保持部２００の後方に手振れ補正部２２０が配置される。手振れ補正部２２０は、後で詳細に説明するように、マウント保持部２００の後方延出部２００ａに固定されている。
【００３７】
手振れ補正部２２０によってＸ軸方向およびＹ軸方向に沿って移動可能に保持される保持部材２１６に、撮像素子２１４および光学保持部材２１０が固定される。保持部材２１６は、撮像素子２１４から発せられる熱を吸って放出する放熱板としての機能も有する。撮像素子２１４は、保持部材２１６の裏面（撮像素子２１４がマウントされる側の面に対して反対側の面）において撮像基板２１８と電気的に接続される。この撮像基板２１８もまた、保持部材２１６の裏面に固定される。撮像基板２１８と制御プリント板１２４とは、フレキシブルプリント基板（ＦＰＣ）２０８によって電気的に接続される。
【００３８】
保持部材２１６上の、撮像素子２１４がマウントされる面上に光学保持部材２１０が固定される。光学保持部材２１０は、撮影レンズから撮像素子２１４の受光面に向かう光束を囲繞するように形成された枠体であり、光学保持部材２１０の内部には光学的ローパスフィルタ（ＯＬＰＦ）２１２が配置される。このＯＬＰＦ２１２の表面には、必要に応じて赤外の波長帯域の光をカットする特性を有する層を形成することができる。あるいは、光学保持部材２１０の内部にＯＬＰＦ２１２とは別体に赤外カットフィルタが配置されていてもよい。光学保持部材２１０の被写体側に位置する面には、硝材等の透明基板で形成された振動板２０６が配置される。振動板２０６、光学保持部材２１０、保持部材２１６により、ＯＬＰＦ２１２および撮像素子２１４は密封され、内部へのダストの進入が抑止される。振動板２０６は、電子カメラ１００の電源投入時、あるいは電源をオフする前のタイミング等において不図示の振動機構によって加振され、振動板２０６の表面に付着したダストを跳ねとばして除去する。
【００３９】
以上のように、撮像素子２１４、そしてＯＬＰＦ２１２や振動板２０６などと云った、撮像素子２１４の前方に配置される光学素子が保持部材２１６上に固定される。また、先に説明したように、保持部材２１６の裏面側において撮像基板２１８が固定される。手振れ補正部２２０がＸ−Ｙ平面に平行な平面内で保持部材２１６を駆動することにより、保持部材２１６上に固定された各構成要素は一体となって移動する。
【００４０】
手振れ補正部２２０は、電子カメラ１００の揺れを検出する手振れセンサを備える。この手振れセンサからの信号と、装着されている撮影レンズの焦点距離とに基づき、撮像素子２１４の受光面上で生じる像ブレの大きさが算出される。そして、算出された像ブレが減じられるように保持部材２１６がＸ軸方向およびＹ軸方向に駆動される。このとき、撮像基板２１８と制御プリント板１２４との相対位置が逐次変化する。この相対位置の変化に対応するべく、接続ＦＰＣ２０８にはたるみ部２０８ａが設けられている。
【００４１】
手振れ補正部２２０は、側方延出部２２０ｂを有し、この側方延出部２２０ｂ内に、保持部材２１６をＹ軸方向（図２の紙面に直交する方向）に沿って駆動するためのアクチュエータが内蔵される。このアクチュエータとしては、超音波アクチュエータ、ステッピングモータや、ＶＣＭ（ヴォイスコイルモータ）とも称されるムービングコイル式アクチュエータ、あるいはムービングマグネット式アクチュエータ等を用いることが可能である。側方延出部２２０ｂは、反グリップ側においてメインコンデンサ１５０の背面を覆う位置にまで延出している。
【００４２】
メインコンデンサ１５０は、両面粘着テープ２２２によってマウント保持部２００に接着、固定される。両面粘着テープ２２２は、紙や不織布、あるいはプラスチックフイルム等を基材とする薄手のものであってもよいが、発泡体等を基材とする厚手のものを用いることが可能である。両面粘着テープ２２２として厚手のものを用いた場合、閃光装置の発光に伴い、メインコンデンサ１５０で生じる振動を両面粘着テープ２２２で吸収することが可能となる。逆に、薄手の両面粘着テープ２２２でマウント保持部２００に接着することにより、メインコンデンサで生じる振動をマウント保持部２００の剛性で押さえ込むことが可能となる。
【００４３】
メインコンデンサ１５０は、図２に示されるように、マウント保持部２００の、ボディマウント１１０が固定される部分の裏面側（ボディマウント取付面の後方の背面側）に配置される。つまり、ボディマウント１１０といわば剛体接続されて剛性の高められた部分にメインコンデンサ１５０が固定される。
【００４４】
図２に良く示されるように、制御プリント板１２４および電池室１２２は、光軸よりもグリップ側に配置される。さらに、制御プリント板１２４は電池室１２２の後方に配置される。図２では、電池室１２２に電池Ｂが装着された様子が示されている。また、電子カメラ１００に対して着脱可能に装着されるメモリカードＭＣは、電池室１２２と制御プリント板１２４との間に配置される。そして、先にも説明したように、電子カメラ１００の底部に設けられた蓋１３２を開けてこれら電池ＢおよびメモリカードＭＣの着脱をすることが可能に構成される。メモリカードＭＣの配置位置は、制御プリント板１２４の後方であってもよい。また、メモリカードＭＣを着脱する際に開閉する蓋として、上記の蓋１３２とは別のものが設けられていてもよい。
【００４５】
図３は、図１におけるＩＩＩ−ＩＩＩ断面、すなわち光軸を含む鉛直面に沿う断面を示す縦断面図である。手振れ補正部２２０は、下方延出部２２０ａを有し、この下方延出部２２０ａ内に、保持部材２１６をＸ軸方向（図３の紙面に直交する方向）に沿って駆動するためのアクチュエータが内蔵される。このアクチュエータとしては、保持部材２１６をＹ軸方向に沿って駆動するためのアクチュエータと同様のものとすることが可能である。下方延出部２２０ａは、撮像素子２１４の下端部よりもさらに下側に延出している。
【００４６】
手振れ補正部２２０の上側に、電子ビューファインダ３０２が配置される。電子ビューファインダ３０２は、小型の透過型液晶表示ユニットと、この透過型液晶表示ユニットをその背面側から照明するバックライト照明装置と、液晶表示ユニット上に形成される像を撮影者が拡大して観察するための拡大光学系とを備える。電子ビューファインダ３０２の接眼部に眼を近づけることにより、撮影者はライブビュー画像や再生画像を観察することが可能となる。
【００４７】
三脚取付部１３０は、手振れ補正部２２０の下方延出部２２０ａよりも前方に配置されている。信号接点１１８は、三脚取付部１３０の上方に配置される。
【００４８】
図４は、図１におけるＩＶ−ＩＶ断面、すなわち上側および下側において各二つの後方延出部２００ａが備えられる様子が図１に示されるが、それらのうち、下側に設けられる後方延出部２００ａを通る水平面に沿う断面を示す横断面図である。図４には、撮像素子２１４の下側に設けられる後方延出部２００ａが、手振れ補正部２２０の下方延出部２２０ａと、ねじ２２４によって固定される様子が示されている。図４からも明らかなように、ボディマウント１１０、マウント保持部２００、手振れ補正部２２０がねじ締結されて一体化されている。また、マウント保持部２００の反グリップ側においてメインコンデンサ１５０の取り付けられる部分の正面側において、前カバー１０２がねじ１１６によって締結される。前カバー１０２を金属製とすると、前カバー１０２とマウント保持部２００とがねじ締結されることにより、マウント保持部２００の剛性を増すことが可能となる。
【００４９】
図５は、図１におけるＶ−Ｖ断面、すなわち前カバー１０２とマウント保持部２００とが反グリップ側においてねじ１１６で締結されている部分における縦断面を示す図である。閃光装置は、窓部材１５４と、反射傘１５６と、キセノン管１５８と、反射傘保持部材１６０と、閃光制御部１６２と、メインコンデンサ１５０とを備える。閃光発光部１５２は、メインコンデンサ１５０の上側に配置される。
【００５０】
反射傘保持部材１６０は、反射傘１５６およびキセノン管１５８を保持する。反射傘１５６は、キセノン管１５８から発せられる光を被写体に向けて反射、集光する。窓部材１５４は、反射傘１５６で集光された光を均一化し、所望の照射角度が得られるように光の向きを定める。閃光制御部１６２は、電源から供給される直流の電圧を発振、昇圧、整流してメインコンデンサ１５０に電荷を蓄積する。閃光制御部１６２はまた、電子カメラ１００のコントローラから発せられる発光制御信号を受信するとキセノン管１５８での放電を開始する。まず、閃光発光部１５２から被写体に向けてプリ（予備）発光を行って、被写体からの反射光を測定し、これに基づいて適正な発光時間を算出する。続いて、閃光発光部１５２から被写体に向けて本発光を行い、予定の発光量に達したときにキセノン管１５８への通電を止めて発光を停止する。
【００５１】
図５の縦断面図からも明かであるように、メインコンデンサ１５０は、横位置で構えられた電子カメラ１００内において、メインコンデンサの円筒軸が鉛直方向に略平行となるように配置される。メインコンデンサ１５０はまた、ボディマウント１１０の後方かつ手振れ補正部２２０の前方に配置される。
【００５２】
本実施の形態において、閃光発光部１５２は固定式であるものとするが、閃光装置の不使用時には閃光発光部１５２を電子カメラ１００内に収納し、使用時には電子カメラ１００から突出させる、いわゆるポップアップ式の構成を備えていてもよい。
【００５３】
図６は、前カバー１０２単品をその背面側から見た様子を示す図である。前カバー１０２には、開口１０２ｂおよび１０２ｃが設けられる。開口１０２ｂには、窓部材１５４が取り付けられる。開口１０２ｃは、ボディマウント１１０が取り付けられる部分である。前カバー１０２にはまた、背面側に突出した座１０２ａが二か所に設けられる。座１０２ａの中央には、ねじ１１６と嵌合する開口が設けられる。前カバー１０２およびマウント保持部２００をねじ１１６で締結したときに、前カバー１０２とマウント保持部２００とは座１０２ａで当接する。
【００５４】
図６中にはメインコンデンサ１５０の配設位置が二点鎖線で描かれている。メインコンデンサ１５０は、前カバー１０２およびマウント保持部２００がねじ１１６で締結される部分の後方に配置される。
【００５５】
図７は、電子カメラ１００の主要部を示し、マウント保持部２００にボディマウント１１０、手振れ補正部２２０、メインコンデンサ１５０等が取り付けられる様子を説明する分解斜視図で、背面側から見た様子を示している。図７において、ねじ１１２、２２６、２２４はいずれも四本ずつ用いられるが、それぞれ一本だけ図示してある。同様に、マウント保持部２００の後方延出部２００ａは、四本の角柱として示されているが、引き出し線および符号は一つだけに付されている。
【００５６】
以下は既に説明した内容と重複するので簡単に説明する。ボディマウント１１０は、四本のねじ１１２によってマウント保持部２００の前面に固定される。メインコンデンサ１５０は、マウント保持部２００の背面側に設けられた取付面２００ｃに両面粘着テープ２２２を介して接着される。マウント保持部２００の背面側に設けられた四つの後方延出部２００ａに、手振れ補正部２２０が四本のねじ２２４によって固定される。
【００５７】
保持部材２１６の前面側には撮像素子２１４がマウントされ、背面側には撮像基板２１８が固定される。撮像素子２１４と撮像基板２１８とは電気的に接続される。撮像基板２１８には接続ＦＰＣ２０８が電気的に接続される。
【００５８】
光学保持部材２１０の前面側には振動板２０６が固定される。光学保持部材２１０の矩形状の開口にＯＬＰＦ２１２が組み込まれ、固定される。光学保持部材２１０は保持部材２１６に四本のねじ２２６によって固定される。保持部材２１６は、手振れ補正部２２０の下側に延出する部分である下方延出部２２０ａと、同じく手振れ補正部２２０の反グリップ側の側方に延出する部分である側方延出部２２０ｂとに設けられる手振れ補正用のアクチュエータと機械的に接続される。
【００５９】
マウント保持部２００の背面側において後方に延出する部分である後方延出部２００ａは、撮像素子２１４の上側において二つ、下側において二つ設けられている。そして撮像素子２１４の上側に設けられる後方延出部２００ａは、手振れ補正部２２０における撮像素子２１４の上側に設けられる貫通穴に挿入されたねじ２２４によって手振れ補正部２２０と締結される。一方、撮像素子２１４の下側に設けられる後方延出部２００ａは、手振れ補正部２２０の下方延出部２２０ａに設けられる貫通穴に挿入されたねじ２２４によって手振れ補正部２２０と締結される。また、三脚取付部１３０は、撮像素子２１４の下側に設けられる後方延出部２００ａの間に位置する。
【００６０】
以上の説明からも分かるように、撮像素子２１４の被写体側にはフォーカルプレンシャッタが備えられていない。代わりに、撮像素子２１４は、露光動作の開始および終了を電気的に制御可能なスイッチング素子を備え、いわゆる電子シャッタの方式で露光動作を制御可能に構成される。このとき、撮像素子２１４は、ローリングシャッタの方式で線順次に露光が行われるものであってもよいが、グローバルシャッタの方式で露光が行われることが望ましい。グローバルシャッタの方式で露光動作可能な撮像素子２１４としては、ＣＣＤであってもよいが、スミアやブルーミング等の現象が殆ど発生しないＣＭＯＳセンサであることが望ましい。あるいは、撮影レンズの側にレンズシャッタを備えるものであってもよい。
【００６１】
図８は、以上に説明した構成要素間の機械的な接続関係を模式的に説明する系統図である。以下、図８に示される接続Ｒ１からＲ１１のそれぞれについて説明する。
【００６２】
ボディマウント１１０とマウント保持部２００とは、接続Ｒ１、すなわち四本のねじ１１２を用いてのねじ締結がなされる。したがって、ボディマウント１１０とマウント保持部２００との組み合わせにより、極めて剛性の高い構造１０が実現される。
【００６３】
マウント保持部２００と接続部材すなわち両面粘着テープ２２２とは、接続Ｒ２、すなわち粘着により接合される。また、両面粘着テープ２２２とメインコンデンサ１５０とは、接続Ｒ３、すなわち粘着により接合される。接続部材として、両面粘着テープ２２２に代えて、一液性または二液性の接着剤や、ホットメルトの接着材を用いることも可能である。この場合、接続Ｒ２、Ｒ３は接着による接続となる。
【００６４】
マウント保持部２００と手振れ補正部２２０とは、接続Ｒ４、すなわち四本のねじ２２４を用いてのねじ締結がなされる。したがって、マウント保持部２００に設けられる四つの後方延出部２００ａと手振れ補正部２２０とによってボックス構造が形成され、ねじ締結による取付合成の高さと相まって、トータルでの剛性を高めることが可能となる。
【００６５】
保持部材２１６と手振れ補正部２２０とは、接続Ｒ５、すなわち、不図示のねじを用いてのねじ締結がなされる。さらに詳しくは、手振れ補正部２２０中に設けられる手振れ補正用のアクチュエータに保持部材２１６がねじ締結されている。
【００６６】
保持部材２１６と光学保持部材２１０とは、接続Ｒ６、すなわち、四本のねじ２２６を用いてのねじ締結がなされる。
【００６７】
光学保持部材２１０と撮像素子２１４とは、接続Ｒ７、すなわち、嵌合による接続がなされる。接続Ｒ７により、Ｘ軸方向およびＹ軸方向の位置決めがなされる。
【００６８】
保持部材２１６と撮像素子２１４とは、接続Ｒ８、すなわち熱伝導性接着剤を用いての接続がなされる。撮像素子２１４から発する熱は、熱伝導性接着剤を介して保持部材２１６に伝えられることにより、撮像素子２１４の冷却を促進することが可能となる。
【００６９】
光学保持部材２１０とＯＬＰＦ２１２とは、接続Ｒ９、すなわち接着による接続がなされる。このとき用いられる接着剤は、硬化後も弾性変形が可能で、光学保持部材２１０とＯＬＰＦ２１２との熱膨張差等を吸収可能なものを用いることが望ましい。また、接続Ｒ９として、接着による接続に代えて、弾性押圧部材を用いての接続とすることも可能である。
【００７０】
光学保持部材２１０と振動板２０６とは、接続Ｒ１０、すなわち弾性部材を用いての弾性押圧による接続をすることが可能である。つまり、弾性部材によって振動板２０６を光学保持部材２１０に向かって付勢し、振動板２０６を加振したときに効率よく振動するように光学保持部材２１０および振動板２０６は接続される。
【００７１】
マウント保持部２００と前カバー１０２とは、接続Ｒ１１、すなわち二本のねじ１１６を用いてのねじ締結を含む接続手段により接続される。例えば、前カバー１０２の上面、左側側面、底面等に別のねじ穴が設けられていて後カバー１０４等とねじ締結により接続されるように構成することが可能である。
【００７２】
以上では、撮影レンズを装着しない状態の電子カメラ１００について説明したが、使用時にはボディマウント１１０に撮影レンズが装着される。つまり、撮影レンズ側に設けられるマウント（以下、撮影レンズ側に設けられるマウントをレンズマウントと称し、ボディマウント１１０と区別する）とボディマウント１１０とが結合される。このレンズマウントとボディマウント１１０との結合により、マウント保持部２００の剛性はさらに高められる。また、図７に示される各構成要素が結合されて完成したものを一つの撮影ユニットとして見たとき、その撮影ユニットに撮影レンズが装着され、結合されるので、撮影ユニット全体としての質量が等価的に増す。その結果、閃光発光時にメインコンデンサ１５０で生じて撮像素子２１４に伝わる衝撃を効果的に減じることが可能となる。
【００７３】
−  変形例１  −
以上ではマウント保持部２００におけるボディマウント１１０の取付面の裏面側（背面側）にメインコンデンサ１５０を両面粘着テープ２２２によって固定する例について説明したが、以下に説明するように固定することも可能である。
【００７４】
図９は、電子カメラ１００の図１におけるＩＶ−ＩＶ断面と同様の水平断面を示す図であり、メインコンデンサ１５０の固定方法に関する変形例１を説明する図である。図４に示されるものとの違いは、図４におけるマウント保持部２００が、図９においてマウント保持部２０１に置き換えられている点と、押さえ板２３２およびねじ２３０が追加されている点である。それ以外の点については図４に示されるものと同様である。図９の構成要素中、図４に示されるものと同様の構成要素には同じ符号を付してその説明を省略する。
【００７５】
図１０は、マウント保持部２０１にボディマウント１１０およびメインコンデンサ１５０が取り付けられる様子を説明する分解斜視図であり、図７と同様に背面側から見た様子を示している。図１０において、マウント保持部２０１の後方延出部２０１ａは、角柱状の形状を有するものが四本設けられる例が示されているが、引き出し線および符号は一つだけに付されている。
【００７６】
マウント保持部２０１の背面側に設けられる四つの後方延出部２０１ａのうち、光軸よりも反グリップ側に設けられる二つの後方延出部２０１ａの基部には、押さえ板２３２を取り付けるための取付面２０１ｄが設けられる。取付面２０１ｄには、ねじ２３０をねじこむためのねじ穴２０１ｅが設けられる。
【００７７】
マウント保持部２０１において、ボディマウント１１０が取り付けられる面の裏面側（背面側）かつ反グリップ側の位置に取付面２０１ｃが設けられる。取付面２０１ｃは、Ｙ軸方向に平行な方向に延在する円筒軸を中心とする円筒面の一部を形成する。取付面２０１ｃと対向する位置の前面側には二つのねじ穴２０１ｂが設けられる。ねじ穴２１０ｂは、前カバー１０２をマウント保持部２０１に固定するためのねじ１１６（図１Ａおよび図５を参照）をねじこむためのものである。
【００７８】
メインコンデンサ１０５は、ねじ２３０によってマウント保持部２０１の取付面２０１ｄに固定された二つの押さえ板２３２により取付面２０１ｃ向かって付勢されて固定される。このとき、必要に応じてメインコンデンサ１５０と取付面２０１ｃとの間に弾性を有するクッション材２３４を介装してもよい。
【００７９】
図９および図１０を参照して説明したメインコンデンサ１５０の固定方法によっても、ボディマウント１１０とマウント保持部２０１とがねじ締結されて高剛性化される。加えて、後方延出部２０１ａに手振れ補正部２２０がねじ締結されて強固なボックス構造が得られる。したがって、閃光発光時にメインコンデンサ１５０で生じて撮像素子２１４に伝わる振動を低減し、像ブレが生じるのを効果的に抑制することが可能となる。
【００８０】
−  変形例２  −
以上では、マウント保持部２００の、ボディマウント１１０が取り付けられる面の裏面側にメインコンデンサ１５０を固定する例について説明したが、以下では前カバー１０２に固定する例について説明する。
【００８１】
図１１は、電子カメラ１００の図１におけるＩＶ−ＩＶ断面と同様の水平断面を示す図であり、メインコンデンサ１５０の固定方法に関する変形例２を説明する図である。図４に示されるものとの違いは、図４におけるマウント保持部２００が、図１１においてマウント保持部２０３に置き換えられている点と、メインコンデンサ１５０がマウント保持部２０３にではなく、前カバー１０２に取り付けられている点である。それ以外の点については図４に示されるものと同様である。図９の構成要素中、図４に示されるものと同様の構成要素には同じ符号を付してその説明を省略する。
【００８２】
図１１に示されるように、メインコンデンサ１５０は、前カバー１０２の反グリップ側の隅部に取り付けられる。このとき、円筒形状を有するメインコンデンサ１５０は、その円筒軸がＹ軸方向に略平行な向きとなるように配設される。メインコンデンサ１５０と前カバー１０２との接続に際しては、両面粘着テープ２３６を用いることが可能である。この両面粘着テープ２３６は、両面粘着テープ２２２と同様のものとすることが可能で、紙や不織布、あるいはプラスチックフイルム等を基材とする薄手のものであってもよいし、発泡体等を基材とする厚手のものであってもよい。
【００８３】
なお、メインコンデンサ１５０を前カバー１０２に固定する手段としては、上述した両面粘着テープ２２２の他に、接着剤を用いての接着、前カバー１０２にねじ止め、かしめ、またはスポット溶接等で固定した押さえ板を用いての保持等、さまざまな方法がある。
【００８４】
前カバー１０２とマウント保持部２０３とは、ねじ１１６によって締結される。メインコンデンサ１５０の配設される反グリップ側において、ねじ１１６を用いて前カバー１０２とマウント保持部２００とが締結されることにより、マウント保持部２００の剛性を高めることが可能となる。このとき、前カバー１０２を金属等の比較的高い剛性を有する材料で形成することにより、マウント保持部２００のさらなる高剛性化を実現可能となる。
【００８５】
先に説明したように、変形例２においてメインコンデンサ１５０はマウント保持部２０３には取り付けられない。代わりに、メインコンデンサ１５０は前カバー１０２に取り付けられる。つまり、メインコンデンサ１５０とマウント保持部２０３との間に前カバー１０２が介在する取付形態となる。しかし、以下に説明する理由により、先に説明したのと同様に高い取付剛性を得ることが可能となる。
【００８６】
電池室１２２や制御プリント板１２４がグリップ側に配設されているので、マウント保持部２０３を反グリップ側に寄せて配置することができる。つまり、前カバー１０２の反グリップ側における前方の隅部（メインコンデンサ１５０の取り付けられている部分）をマウント保持部２０３に近づけることが可能となる。前カバー１０２の前方隅部は、曲率の大きい（曲がり具合のきつい）面で構成されている。これはとりもなおさず、構造的に剛性が高くなることを意味する。つまり、メインコンデンサ１５０とマウント保持部２０３とは前カバー１０２の剛性の高い部分を仲立ちとして接続されている。また、前カバー１０２が反グリップ側においてねじ１１６によってマウント保持部２０３と接続されていることと相まって、メインコンデンサ１５０の取付剛性を高めることができる。したがって、閃光発光時にメインコンデンサ１５０で生じて撮像素子２１４に伝わる振動を低減し、像ブレが生じるのを効果的に抑制することが可能となる。
【００８７】
以上では電子カメラ１００が、撮像素子２１４を撮影レンズの光軸の直交する面に沿って移動させて手振れを低減する手振れ補正部２２０（ボディ内手振れ補正部）を備えるものとして説明したが、手振れ補正部２２０を備えていないものにも本発明は適用可能である。あるいは、撮影レンズ内の光学素子を移動させて手振れ補正を行う電子カメラにも本発明を適用可能である。さらに、閃光装置を内蔵していて、静止画撮影も行うことのできるムービーカメラに本発明を適用することも可能である。
【符号の説明】
【００８８】
１００  …  電子カメラ
１０２  …  前カバー
１０４  …  後カバー
１０８  …  ＡＦ補助光源
１１０  …  ボディマウント
１１２、１１６、２２４、２２６、２３０  …  ねじ
１１８  …  信号接点
１２２  …  電池室
１２４  …  制御プリント板
１３０  …  三脚取付部
１５０  …  メインコンデンサ
１５２  …  閃光発光部
１５６  …  反射傘
１５８  …  キセノン管
２００、２０１、２０３  …  マウント保持部
２００ａ、２０１ａ、２０３ａ  …  後方延出部
２０６  …  振動板
２０８  …  接続ＦＰＣ
２１０  …  光学保持部材
２１２  …  ＯＬＰＦ
２１４  …  撮像素子
２１６  …  保持部材
２１８  …  撮像基板
２２０  …  手振れ補正部
２２０ａ  …  下方延出部
２２０ｂ  …  側方延出部
２２２、２３６  …  両面接着テープ
２３２  …  押さえ板
２３４  …  クッション材
３００  …  表示装置
３０２  …  電子ビューファインダ
【図１Ａ】
2012123136.tif 000003
【図１Ｂ】
2012123136.tif 000004
【図２】
2012123136.tif 000005
【図３】
2012123136.tif 000006
【図４】
2012123136.tif 000007
【図５】
2012123136.tif 000008
【図６】
2012123136.tif 000009
【図７】
2012123136.tif 000010
【図８】
2012123136.tif 000011
【図９】
2012123136.tif 000012
【図１０】
2012123136.tif 000013
【図１１】
2012123136.tif 000014